(57)【要約】      （修正有）【課題】ＬＥＤ光源を使用した場合にも、光軸に関して３６０度方向に光を照射することができ、効率の良い漁獲ができる集魚灯装置を提供する。【解決手段】漁船に取り付けられ、光を照射することにより魚群を集めるための集魚灯装置１００は、少なくとも１つのＬＥＤを有する光源部１０と、頂部が光源部１０の光軸１０ａ上でこの光源部１０に対向するように配置され、光源部１０からの光を光軸１０ａから離れる周囲方向に反射する反射体２０とを備えている。反射体２０の反射面が、略錐形又は略錐台形の側面の形状を有している。【選択図】図１
2020202782.tif 000002
【特許請求の範囲】
【請求項１】
漁船に取り付けられ、光を照射することにより魚群を集めるための集魚灯装置であって、
少なくとも１つの発光ダイオードを有する光源部と、頂部が前記光源部の光軸上で前記光源部に対向するように配置され、前記光源部からの光を光軸から離れる周囲方向に反射する反射体とを備え、
前記反射体の反射面が、略錐形又は略錐台形の側面の形状を有していることを特徴とする集魚灯装置。
【請求項２】
前記反射面が、前記光軸を軸中心とする略錐形又は略錐台形の側面の形状を有していることを特徴とする請求項１に記載の集魚灯装置。
【請求項３】
前記反射面が、略円錐形又は略円錐台形の側面の形状を有していることを特徴とする請求項１又は２に記載の集魚灯装置。
【請求項４】
前記反射面が、前記光軸を含む平面内において、凹状湾曲又は凸状湾曲の母線の形状を有していることを特徴とする請求項３に記載の集魚灯装置。
【請求項５】
前記光源部の前面を覆うカップ形状の透光カバーをさらに備え、
前記反射体は、前記透光カバー内の前面に配置されていることを特徴とする請求項１から４のいずれか１項に記載の集魚灯装置。
【請求項６】
前記光源部は、複数の第１の発光ダイオードと、該第１の発光ダイオードより短波長の光を発光する複数の第２の発光ダイオードとを基板上に配置して構成される面状光源であり、前記複数の第１の発光ダイオードは前記基板の外周部に配置され、前記複数の第２の発光ダイオードは前記基板の内周部に配置されていることを特徴とする請求項１から５のいずれか１項に記載の集魚灯装置。
【請求項７】
各々が前記光源部と前記光源部の光軸上に配置された前記反射体とからなる光源−反射体ユニットが前記光軸に沿って複数段重畳して配置されていることを特徴とする請求項１から６のいずれか１項に記載の集魚灯装置。
【請求項８】
前記複数段重畳して配置された光源−反射体ユニットにおける各光源−反射体ユニットが、前記光軸に関して同一方向に向いて重畳されていることを特徴とする請求項７に記載の集魚灯装置。
【請求項９】
前記複数段重畳して配置された光源−反射体ユニットにおける各光源−反射体ユニットが、前記光軸に関して交互に逆方向に向いて重畳されていることを特徴とする請求項７に記載の集魚灯装置。
【請求項１０】
前記複数段重畳して配置された光源−反射体ユニットを駆動するための駆動制御部をさらに備え、前記駆動制御部は、前記複数段重畳された光源−反射体ユニットにおける前記光源部が互いに同じ発光強度又は発光色で発光するべく制御するように構成されていることを特徴とする請求項７から９のいずれか１項に記載の集魚灯装置。
【請求項１１】
前記複数段重畳して配置された光源−反射体ユニットを駆動するための駆動制御部をさらに備え、前記駆動制御部は、前記複数段重畳された光源−反射体ユニットにおける前記光源部が互いに異なる発光強度又は発光色で発光するべく制御するように構成されていることを特徴とする請求項７から９のいずれか１項に記載の集魚灯装置。
【発明の詳細な説明】
【技術分野】
【０００１】
本発明は、漁船に取り付けられ、船上からの光でイカや魚などを集め、効率よく漁を行うための集魚灯装置に関する。
【背景技術】
【０００２】
魚群を集めるために光を海面又は海中に照射する光照射器具である集魚灯は、漁船の船体上方の位置に取り付けられ、複数の光源（白熱灯光源、メタルハライドランプ）からの光を海面に照射するように構成されている。特に、イカ釣船などの漁船においては、夜間に集魚灯を点灯させて船体両側の水面を照らし、イカが船体の近くに集まる習性を利用して捕獲を行う。
【０００３】
近年、省電力化を図って漁船の燃費を削減するために、白熱灯光源やメタルハライドランプに代えて、発光ダイオード（ＬＥＤ）を光源とする集魚灯装置が提案されている（例えば、特許文献１参照）。
【０００４】
特許文献１に記載の集魚灯装置は、図１０に示すように、複数のＬＥＤを基板上にマトリックス状に配置してパネル式ＬＥＤ集魚灯１を構成し、このようなパネル式ＬＥＤ集魚灯１を、漁船Ｓの甲板の上方の海面を所定の角度で照射できる位置に設置することによって構成されている。
【先行技術文献】
【特許文献】
【０００５】
【特許文献１】国際公開第２００６／１２３４４９号公報
【発明の概要】
【発明が解決しようとする課題】
【０００６】
しかしながら、このようなパネル式ＬＥＤ集魚灯を備えた集魚灯装置によると、電力消費量が少ないことから燃料消費量は抑えられるものの、従来のメタルハライドランプを使用した場合のような漁獲量を得ることができなかった。本願発明者が、その理由を研究、考察した結果、メタルハライドランプを用いた集魚灯は全周方向に光照射が行われるのに対して、パネル式ＬＥＤ集魚灯は照射方向がパネルの向きによって限定されるために漁獲量が伸びないのではないかとの知見を得た。
【０００７】
即ち、特許文献１に記載のごときパネル式ＬＥＤ集魚灯によると、光の照射される方向に制限があり全周方向ではないため、イカ釣り等において漁獲量に大きな影響を及ぼすのではないかと推察された。さらに、パネル式ＬＥＤ集魚灯は照射面が平面であるため、横風を受けやすいという問題点があった。
【０００８】
従って、本発明は、ＬＥＤ光源を使用した場合にも、光軸に関して３６０度方向に光を照射することができ、効率の良い漁獲ができる集魚灯装置を提供することを目的とする。
【０００９】
本発明の他の目的は、ＬＥＤ光源を使用した場合にも、光軸に関して３６０度方向に光を照射することができ、しかも、より多量の光を照射することができる集魚灯装置を提供することを目的とする。
【課題を解決するための手段】
【００１０】
本発明によれば、漁船に取り付けられ、光を照射することにより魚群を集めるための集魚灯装置は、少なくとも１つの発光ダイオード（ＬＥＤ）を有する光源部と、頂部が光源部の光軸上でこの光源部に対向するように配置され、光源部からの光を光軸から離れる周囲方向に反射する反射体とを備えている。特に、反射体の反射面が、略錐形又は略錐台形の側面の形状を有している。
【００１１】
反射体の反射面が略錐形又は略錐台形の側面の形状を有しているため、少なくとも１つのＬＥＤからの光がこの反射面によって光軸から離れる周囲方向に反射されるので、光軸に関して３６０度方向に光を照射することができ、効率の良い漁獲が可能となる。なお、本明細書において、「略錐形」又は「略錐台形」の側面形状とは、側面の断面（軸を含む断面）が、一般的な「錐形」や「錐台形」形状のように直線であること以外に、曲線である場合も含むことを意味している。
【００１２】
反射体の反射面が、光軸を軸中心とする略錐形又は略錐台形の側面の形状を有していることが好ましい。
【００１３】
反射体の反射面が、略円錐形又は略円錐台形の側面の形状を有していることも好ましい。
【００１４】
反射体の反射面が、光軸を含む平面内において、凹状湾曲又は凸状湾曲の母線の形状を有していることがより好ましい。これにより、光源部からの光を所望の方向に反射するように制御することができる。
【００１５】
光源部の前面を覆うカップ形状の透光カバーをさらに備え、反射体は、透光カバー内の前面に配置されていることも好ましい。
【００１６】
光源部は、複数の第１のＬＥＤと、第１のＬＥＤより短波長の光を発光する複数の第２のＬＥＤとを基板上に配置して構成される面状光源であり、複数の第１のＬＥＤは基板の外周部に配置され、複数の第２のＬＥＤは基板の内周部に配置されていることも好ましい。
【００１７】
各々が光源部と光源部の光軸上に配置された反射体とからなる光源−反射体ユニットが光軸に沿って複数段重畳して配置されていることも好ましい。光源−反射体ユニットを光軸に沿って複数段重畳して配置することにより、光軸に関して３６０度方向に光を照射することができ、かつより多量の光を広範囲に照射することが可能となる。
【００１８】
この場合、複数段重畳して配置された光源−反射体ユニットにおける各光源−反射体ユニットが、光軸に関して同一方向に向いて重畳されていることがより好ましい。
【００１９】
また、この場合、複数段重畳して配置された光源−反射体ユニットにおける各光源−反射体ユニットが、光軸に関して交互に逆方向に向いて重畳されていることも好ましい。
【００２０】
複数段重畳して配置された光源−反射体ユニットを駆動するための駆動制御部をさらに備え、駆動制御部は、複数段重畳された光源−反射体ユニットにおける光源部が互いに同じ発光強度又は発光色か、又は互いに異なる発光強度又は発光色で発光するべく制御するように構成されていることも好ましい。
【発明の効果】
【００２１】
本発明によれば、反射体の反射面が略錐形又は略錐台形の側面の形状を有しているため、少なくとも１つのＬＥＤからの光がこの反射面によって光軸から離れる周囲方向に反射される。このため、光軸に関して３６０度方向に光を照射することができ、効率の良い漁獲が可能な集魚灯装置を提供できる。集魚灯装置の外径形状が略円柱形状のため、横風だけでなく全方位からの風の影響をすくなくすることができ、漁船の操縦安定性を向上することができる。
【００２２】
また、光源−反射体ユニットが光源部と光源部の光軸上に配置された反射体とから構成され、各光源−反射体ユニットが光軸に沿って複数段重畳して配置されていることで、光軸に関して３６０度方向に光を照射することができ、かつより多量の光を広範囲に照射することが可能な集魚灯装置を提供できる。
【図面の簡単な説明】
【００２３】
【図１】本発明の第１の実施形態における集魚灯装置の構成を概略的に示す側面図である。
【図２】図１の集魚灯装置の光源部のＬＥＤの配置を概略的に示す平面図である。
【図３】図１の集魚灯装置の配光を示すイメージ図である。
【図４】図１の集魚灯装置の反射鏡の変更態様を概略的に示す側面図である。
【図５】図１の集魚灯装置の反射鏡の他の変更態様を概略的に示す側面図である。
【図６】図１の集魚灯装置の反射鏡のさらに他の変更態様を概略的に示す側面図である。
【図７】図１の集魚灯装置を漁船に設置した状態を概略的に示す図であり、（Ａ）１列配置、（Ｂ）２列配置の例である。
【図８】本発明の第２の実施形態における集魚灯装置の構成を概略的に示す側面図である。
【図９】本発明の第３の実施形態における集魚灯装置の構成を概略的に示す側面図である。
【図１０】従来のＬＥＤ集魚灯の構成及び漁船に設置した状態を概略的に示す図である。
【発明を実施するための形態】
【００２４】
以下、本発明に係る集魚灯装置の実施形態を、図面を参照して説明する。
【００２５】
図１は本発明の第１の実施形態における集魚灯装置１００の全体の構成を示している。図２は集魚灯装置１００の光源部１０のＬＥＤの配置例を概略的に示しており、同図（Ａ）はマトリクス状の配置例、同図（Ｂ）は同心状の配置例、同図（Ｃ）は中央部に集中配置した例をそれぞれ示している。図３は集魚灯装置１００の配光のイメージを示しており、同図（Ａ）は反射体なしの場合の配光、同図（Ｂ）は本発明のように反射体がある場合の配光をそれぞれ示している。図４は集魚灯装置１００の反射体２０Ａの構成を示しており、図５は集魚灯装置１００の反射体２０Ｂの構成を示しており、図６は集魚灯装置１００の反射体２０Ｃの構成を示している。図７は集魚灯装置１００の配列状態を示しており、同図（Ａ）は小型船における１列配置の例、同（Ｂ）は大型船における２列配置の例である。
【００２６】
図１に示すように、第１の実施形態に係る集魚灯装置１００は、光源部１０と、頂部が光源部１０の光軸１０ａ上でこの光源部１０に対向するようにかつ光源部１０とは離隔して配置され、光源部１０からの光を光軸１０ａから離れる周囲方向に反射する反射面２０ａを備えた反射体２０と、光源部１０の前面を覆うカップ形状の透光カバー３０とを備えている。反射体２０は、透光カバー３０内に配置されている。なお、この集魚灯装置１００は、光源部１０を駆動するための駆動制御部（図示せず）も備えている。
【００２７】
光源部１０は、基板１１と、基板１１の表面上に実装された光源としての少なくとも１つの高出力のＬＥＤ（発光ダイオード）１２と、基板１１の背面に設けられた放熱部材１３及び冷却ファン１４と、この集魚灯装置１００を取り付けるために使用する取り付け金具１５とを備えている。光源部１０のＬＥＤ１２は、単色のＬＥＤ、例えば青色系の短波長光のＬＥＤを用いる。単数のＬＥＤ１２を基板１１上に設置しても良いし、複数のＬＥＤ１２を基板１１上に設置して面状光源としても良い。複数のＬＥＤ１２を基板１１上に設置する場合、図２（Ａ）に示すようにＬＥＤ１２をマトリックス状に配置しても良いし、図２（Ｂ）に示すようにＬＥＤ１２を同心状に配置しても良い。最も望ましくは、図２（Ｃ）に示すように、ＬＥＤ１２を基板１１の中央部のみに集中的に配置することである。これにより、配光の制御が容易となる。このＬＥＤとしては、表面実装型のＳＭＤチップを用いても良いし、チップオンボード型のＣＯＢチップを用いても良い。
【００２８】
また、複数のＬＥＤ１２を、青色系の短波長光、緑色系の中波長光、及び赤色系の長波長光の３種類のＬＥＤから構成しても良い。この場合は、それぞれ青色系、緑色系、及び赤色系の複数のＬＥＤを、基板１１上にランダムに配置しても良いし、基板１１の外周部に長波長のＬＥＤ（本発明の第１のＬＥＤに対応）を配置し、内周部（中央部）にこの第１のＬＥＤより短波長のＬＥＤ（本発明の第２のＬＥＤに対応）を配置するようにしても良い。例えば、外周部にオレンジ色（白色、電球色）のＬＥＤを配置し、内周部に青系色（水色）のＬＥＤを配置するように構成しても良い。このように配置することにより、外周部のオレンジ色のＬＥＤの光（一部）は反射体２０をかわして漁船に近い海面を直接照射するが波長が長いため海中に深く入射しない。これに対して、内周部（中央部）の水色のＬＥＤの光は反射体２０により反射され、漁船から遠い海面を照射し、海中に比較的深く入射することでき、これによって集魚効果が向上する。また、オレンジ色のＬＥＤの光（一部）は、集魚作用は必ずしも高くないが、作業者の手元を照明するので、船舶上の作業の効率化を図ることができる。
【００２９】
複数のＬＥＤ１２を基板１１上にマトリックス状に配置して構成した光源部１０を用いることで、必要な光量を容易に確保でき、従来のメタルハライド光源やハロゲン灯を用いた集魚灯に比べ総消費電力も小さく、低コストを図ることができる。
【００３０】
放熱部材１３としては、例えば、アルミ材料製の放熱フィンを用いる。さらに、放熱部材１３の付近に冷却ファン１４を設けることにより、冷却作用がより向上する。
【００３１】
反射体２０は、その反射面（反射鏡）２０ａが、略錐形の側面の形状を有している。ここで略錐形の側面形状とは、側面の断面（軸を含む断面）形状が、直線であること又は曲線であることを意味している。本実施形態では、反射面２０ａは、例えば、円錐形（直円錐形）の側面の形状を有している。反射体２０の頂点は光源部１０の光軸１０ａ上にあり、反射面２０ａの頂角は、所望の配光特性が得られるように、即ち、光源部１０からの光の反射光が所望の方向へ進むように、適宜に設計される。
【００３２】
図３（Ｂ）に示すように、反射体２０の配光特性のうち、水平面から上方へ照射される上方への光５０ａの照射角度範囲θは、θ＝５〜１０度とすることが望ましい。照射角度範囲θがこれより小さいと、漁船が揺れた場合、集魚灯装置１００からの光があたかも点滅しているように照射が行われてしまう。なお、この照射角度範囲θは、反射面２０ａの頂角と光源部１０のＬＥＤ１２の位置とで設定することができる。反射体２０の配光特性のうち、反射体２０の周辺下方に漏れる下方への光５０ｂも船に近い海面及び甲板上の照射に利用することができる。この下方への光５０ｂが必要な場合、反射体２０の直径（底面直径）をより小さくなる方向に設定し、下方の光へ５０ｂが不要な場合、反射体２０の直径（底面直径）を大きく設定する。
【００３３】
本実施形態における反射体の変更態様として、図４に示すように、反射体２０Ａの反射面２０Ａａが、光軸１０ａを含む平面内において凹状湾曲の母線の形状の、略円錐形の側面の形状を有していても良い。この場合、図４中の矢印で示すように反射光がほぼ水平方向に照射するようになる。
【００３４】
本実施形態における反射体の他の変更態様として、図５に示すように、反射体２０Ｂの反射面２０Ｂａが、光軸１０ａを含む平面内において凸状湾曲の母線の形状の、略円錐形の側面の形状を有していても良い。この場合、図５中の矢印で示すように反射光が放射状に照射するようになる。
【００３５】
本実施形態における反射体のさらに他の変更態様として、図６に示すように、反射体２０Ｃの反射面２０Ｃａが、略円錐台形（直円錐台形）の側面の形状を有するように構成しても良い。ここで略錐台形の側面形状とは、側面の断面（軸を含む断面）形状が、直線であること又は曲線であることを意味している。
【００３６】
透光カバー３０は、透光性樹脂材料から構成されており、その形状は光源部１０の前面を覆うカップ形状を有している。この透光カバー３０内の前面（図１にて内部底面）上には、反射体２０がその頂部を光源部１０に対向させた状態で配置されている。透光カバー３０の深さは、反射体２０の高さ及び光源部１０と反射体２０との間の間隙に応じて設定される。
【００３７】
図７は本実施形態の集魚灯装置１００を漁船に設置した状態を示している。図７（Ａ）は例えば１０トン未満の小型漁船Ｓａに集魚灯装置１００を設置した例であり、この場合、集魚灯装置１００は漁船Ｓａの中央部に１列配置されている。図７（Ｂ）は１０〜２００トン程度の大型漁船Ｓｂに集魚灯装置１００を設置した例であり、この場合、集魚灯装置１００は漁船Ｓｂの両サイドに２列配置されている。これらの図に示すように、複数の本実施形態の集魚灯装置１００を吊り下げ設置することにより、光軸に関して３６０度方向に光を効率良く照射することができ、効率の良い漁獲を行うことができる。
【００３８】
以上説明したように、本実施形態の集魚灯装置１００によれば、少なくとも１つの高出力のＬＥＤ１２を備えた光源部１０と、頂部が光源部１０の光軸１０ａ上でこの光源部１０に対向するようにかつ光源部１０とは離隔して配置され、光源部１０からの光を光軸１０ａから離れる周囲方向に反射する反射面２０ａを備えた反射体２０と、光源部１０の前面を覆うカップ形状の透光カバー３０とを備え、反射体２０の反射面２０ａが、略錐形又は略錐台形の側面の形状を有している。これにより、ＬＥＤ１２からの光がこの反射面２０ａによって光軸１０ａから離れる周囲方向に反射される。このため、光軸１０ａに関して３６０度方向に光を照射することができ、効率の良い漁獲が可能となる。集魚灯装置の外径形状が略円柱形状のため、横風だけでなく全方位からの風の影響をすくなくすることができ、漁船の操縦安定性を向上することができる。
【００３９】
図８は本発明の第２の実施形態における集魚灯装置２００の全体の構成を示している。図８に示すように、本実施形態の集魚灯装置２００は、光源部１０と光源部１０の光軸１０ａ上に配置された反射体２０とからなる光源−反射体ユニット５００が光軸１０ａに沿って複数段重畳されて構成されている。各光源−反射体ユニット５００は、第１の実施形態における集魚灯装置１００と同様の構成を有している。即ち、光源部１０と、頂部が光源部１０の光軸１０ａ上でこの光源部１０に対向するようにかつ光源部１０とは離隔して配置され、光源部１０からの光を光軸１０ａから離れる周囲方向に反射する反射面２０ａを備えた反射体２０と、光源部１０の前面を覆うカップ形状の透光カバー３０とを備えており、反射体２０の反射面２０ａが、略錐形又は略錐台形の側面の形状を有している。また、各段の光源部１０を駆動するための駆動制御部４０を備えている。
【００４０】
本実施形態の集魚灯装置２００においては、複数の光源−反射体ユニット５００複数段重畳して配置された光源−反射体ユニット５００の各々が、光軸１０ａに関して同一方向に向いて重畳されている。即ち、図８において、各光源−反射体ユニット５００の光源１０が下向きとなり、反射体２０の反射面２０ａ（の頂部）が上向きとなるように重畳されている。なお、図８では、３段の光源−反射体ユニット５００が重畳されているが、この重畳数は２段でも、４段以上であっても良い。また、これら複数の光源−反射体ユニット５００が間隔を空けずに重畳されているが、これら複数の光源−反射体ユニット５００を互いに間隔を空けて重畳するように構成しても良いことはもちろんである。
【００４１】
本実施形態の集魚灯装置２００は、複数の光源−反射体ユニット５００の光源部１０を駆動する駆動制御部４０を備えている。この駆動制御部４０は、本実施形態においては、複数段重畳された光源−反射体ユニット５００における光源部１０が互いに異なる発光強度又は発光色で発光するべく制御するように構成されている。本実施形態の変更態様として、駆動制御部４０を、各光源−反射体ユニット５００における光源部１０が同じ発光強度又は発光色で発光するべく制御するように構成しても良い。その場合、複数の光源−反射体ユニット５００の光源部１０の多数のＬＥＤを直列接続すれば、電圧降下装置を不要とすることも可能となる。
【００４２】
以上説明したように、本実施形態の集魚灯装置２００によれば、複数の光源−反射体ユニット５００が、光軸に関して同一方向に向いて複数段重畳して配置されているため、光軸に関して３６０度方向に光を照射することができ、かつより多量の光を広範囲に照射することができる。また、各光源−反射体ユニット５００における光源部１０が互いに異なる色で点灯するように構成した場合には、広範囲でイカ等の魚類を集めることができ、効率良く漁獲することができる。
【００４３】
図９は本発明の第３の実施形態における集魚灯装置３００の全体の構成を示している。図９に示すように、本実施形態の集魚灯装置３００は、光源部１０と光源部１０の光軸１０ａ上に配置された反射体２０とからなる光源−反射体ユニット５００が光軸１０ａに沿って複数段重畳されて構成されている。各光源−反射体ユニット５００は、第１の実施形態における集魚灯装置１００と同様の構成を有している。即ち、光源部１０と、頂部が光源部１０の光軸１０ａ上でこの光源部１０に対向するようにかつ光源部１０とは離隔して配置され、光源部１０からの光を光軸１０ａから離れる周囲方向に反射する反射面２０ａを備えた反射体２０と、光源部１０の前面を覆うカップ形状の透光カバー３０とを備えており、反射体２０の反射面２０ａが、略錐形又は略錐台形の側面の形状を有している。また、各段の光源部１０を駆動するための駆動制御部４０ａ及び４０ｂを備えている。
【００４４】
本実施形態の集魚灯装置３００においては、複数の光源−反射体ユニット５００複数段重畳して配置された光源−反射体ユニット５００の各々が、光軸１０ａに関して交互に逆方向に向いて重畳されている。即ち、図９において、最上段の光源−反射体ユニット５００では光源１０が下向きとなり、反射体２０の反射面２０ａ（の頂部）が上向きとなり、その下段の光源−反射体ユニット５００では光源１０が上向きとなり、反射体２０の反射面２０ａ（の頂部）が下向きとなり、その下段の光源−反射体ユニット５００では光源１０が下向きとなり、反射体２０の反射面２０ａ（の頂部）が上向きとなり、最下段の光源−反射体ユニット５００では光源１０が上向きとなり、反射体２０の反射面２０ａ（の頂部）が下向きとなるように重畳されている。なお、図９では、４段の光源−反射体ユニット５００が重畳されているが、この重畳数は２段でも、３段でも、５段以上であっても良い。また、これら複数の光源−反射体ユニット５００は間隔を空けずに重畳されているが、これら複数の光源−反射体ユニット５００を互いに間隔を空けて重畳するように構成しても良いことはもちろんである。
【００４５】
上述した実施形態の集魚灯装置１００、２００及び３００において、反射体２０の反射面２０ａは、水平方向の断面輪郭線が、例えば円等の２次曲線形状の例を説明したが、本発明はこれに限定されるものではない。例えば、角錐又は角錐台からなる反射面を有するものを用いても良い。即ち、断面形状が多角形であっても良い。
【００４６】
また、上述した実施形態の集魚灯装置１００、２００及び３００において、光源部１０は、複数のＬＥＤを基板上にマトリックス状に、同心状に又は中央部に集中して配置して構成される面状光源の例を説明したが、本発明はこれに限定されるものではない。例えば、１つのＬＥＤからなる光源を用いても良い。また、これらＬＥＤからなる光源部１０は、交流電源（ＡＣ）で駆動されても、直流電源（ＤＣ）で駆動されても良い。交流電源を使用する場合、内蔵の交流電流を直流電流に変換する変換ユニットを介して駆動する。
【００４７】
さらに、上述した実施形態の集魚灯装置１００において、光源部１０は、外周部に長波長のＬＥＤを配置し、内周部（中央部）にこのＬＥＤより短波長のＬＥＤを配置するように構成されているが、本発明はこれに限定されるものではない。例えば、全面に同じ発光波長のＬＥＤを配置して構成しても良い。
【００４８】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００４９】
本発明は、イカ、サンマなどの光に反応して集まる魚類の性質を利用して、それらの魚群を集めるために用いられる集魚灯、及びその集魚灯を利用する漁船における集魚システム等に適用され、特に漁船におけるイカ釣漁を効率よく行う目的に利用できる。
【符号の説明】
【００５０】
１、１００、２００、３００  集魚灯装置
１０  光源部
１０ａ  光軸
１１  基板
１２  ＬＥＤ
１３  放熱部材
１４  冷却ファン
２０、２０Ａ、２０Ｂ  反射体
２０ａ、２０Ａａ、２０Ｂａ  反射面
３０  透光カバー
４０、４０ａ、４０ｂ  駆動制御部
５０ａ  上方への光
５０ｂ  下方への光
Ｓ、Ｓａ、Ｓｂ  漁船
５００  光源−反射体ユニット
【図１】
2020202782.tif 000003
【図２】
2020202782.tif 000004
【図３】
2020202782.tif 000005
【図４】
2020202782.tif 000006
【図５】
2020202782.tif 000007
【図６】
2020202782.tif 000008
【図７】
2020202782.tif 000009
【図８】
2020202782.tif 000010
【図９】
2020202782.tif 000011
【図１０】
2020202782.tif 000012